(57)【要約】【課題】  従来のエスカレーターは、運転方向や速度感が把握できずに発生する視覚弱者の転倒や逆乗り込みによる転倒事故等が課題となっていた。また、印刷シートを用いる方式では制作、施工費、寿命対応面で適用が不可能となる問題があった。【解決手段】  これらの課題を解決するため、本発明は、往路から復路にかけて反転して移動し、乗客を輸送する踏段群４と、この踏段群４と同期して往路から復路にかけて反転して移動するものでその表層材がゴム系あるいは樹脂系材料からなる手摺ベルト６を備えたエスカレーターにおいて、前記手摺ベルト６の表面に、前記手摺ベルト６の表層材がゴム系であればゴム系材料、樹脂系であれば樹脂系材料であって、前記手摺ベルト６の表層材の色とは異なる色であって、かつ前記手摺ベルト６の表面が突起状となって文字、模様等を点字的に表示する突起形表示部６Ａを熱接合して設けた。【選択図】図３
2014065604.tif 000002
【特許請求の範囲】
【請求項１】
往路から復路にかけて反転して移動し、乗客を輸送する踏段群と、この踏段群と同期して往路から復路にかけて反転して移動するものでその表層材がゴム系あるいは樹脂系材料からなる手摺ベルトを備えたエスカレーターにおいて、前記手摺ベルトの表面に、前記手摺ベルトの表層材がゴム系であればゴム系材料、樹脂系であれば樹脂系材料であって、前記手摺ベルトの表層材の色とは異なる色であって、かつ前記手摺ベルトの表面が突起状となって文字、模様等を表示する突起形表示部を熱接合して設けたことを特徴とする主として視覚弱者向けエスカレーターの手摺ベルト。
【発明の詳細な説明】
【技術分野】
【０００１】  本発明は、移動する踏段群が水平路あるいは傾斜路を形成しつつ乗客輸送を行うもので、主として視覚弱者向けに好適なエスカレーター用手摺ベルトの構成に関する。
【背景技術】
【０００２】  ２００７年公表の国土交通省「バリアフリー整備ガイドライン」のエスカレーター関連において「しるし（印）を付けることなどにより、ベルトの進行方向を表示する」規定が推奨され、本発明の名称である「視覚弱者向けエスカレーターの手摺ベルト」が様々に工夫されて幅広く普及する一方、同じガイドラインに「エスカレーターの運転方向等（昇り、降り、行き先）を音声案内する装置を設ける」こととしている。ここで、上記「印を付ける」具体的な方法としては、下記特許文献に記載の方法が公知となっている。
【先行技術文献】
【０００３】
【特許文献】
【特許文献】  国際公開番号Ｗ０２００７／１３９１８６号公報
【発明の概要】
【発明が解決しようとする課題】
【０００４】  特許文献に開示された従来例は、視覚弱者向けとして手摺ベルトの表面に印刷シートを貼り、その印刷シートには、手摺ベルトの移動方向を表示する手摺ベルトの地色とは異色の方向マークを印刷し、この方向マーク付き印刷シートを手摺ベルトの表面に接着する構成を開示している。ここで、この方向マークが、上記の「手摺ベルトの進行方向を表示する印」となり、エスカレーターの存在とその速度感、運転方向を視覚によって認知（乗り込み時の運転速度に対する体重移動バランスの安定化等）させるとともに、逆乗り込み（降り口側から乗り込む等）阻止効果によって、転倒事故を防止する目的を果たすようになっている。しかしながら、視覚障害者は上記の「印」が認識できて安全利用を享受できる半面、エスカレーター設置者は印刷シートの制作・施工費と、印刷シートの剥がれ等で寿命が数ヶ月とされる印刷シートの更新費負担が普及拡大面で大きな問題となっていた。また、上記の音声案内装置は、特に鉄道駅などの雑踏環境下では音声が聞き取れず、視覚障害者は、移動のために絶対必要な行き先（例えば２階行き、などの告知）が分からないまま利用してしまうことが問題となっていた。【０００５】  本発明は、上記問題を解消するためになされたものであり、主として視覚弱者向けとして手摺ベルトの表面に対して直接に、行き先や方向マークを点字のように突起表示する構成とし、安全効果を発揮しつつも、印刷シートに関わる制作・施工費、寿命上の更新費低減に寄与する構成としたのである。
【課題を解決するための手段】
【０００６】  本発明は、往路から復路にかけて反転して移動し、乗客を輸送する踏段群と、この踏段群と同期して往路から復路にかけて反転して移動するものでその表層材がゴム系あるいは樹脂系材料からなる手摺ベルトを備えたエスカレーターにおいて、前記手摺ベルトの表面に、前記手摺ベルトの表層材がゴム系であればゴム系材料、樹脂系であれば樹脂系材料であって、前記手摺ベルトの表層材の色とは異なる色であって、かつ前記手摺ベルトの表面が突起状となって文字、模様等を点字的に表示する突起形表示部を熱接合して設けたことを特徴とする主として視覚弱者向けエスカレーターの手摺ベルトとしたのである。
【発明の効果】
【０００７】  上記の構成によれば、手摺ベルトの表面に、該手摺ベルトの表層材の色とは異色で目立ち易い点字的表現により例えば「２階行き」と表示した場合には、突起状の点字群に触れることによりエスカレーターの行き先（進行方向）が２階であることを知ることができる。また、安全面では従来例と同様、手摺ベルトの表面に、該手摺ベルトの表層材の色とは異色で、かつ点字群（後述する突起形表示部６Ａ）を複数集めた集合体をもって円形等の方向マーク（後述する突起形表示部６ＡＡ）として表現した場合には、その方向マークが突起状に表示されるためによりはっきりと認識でき、さらに該方向マークが踏段群と同期して動くことから、視力の弱い障害者でも運転方向と速度感がより認識し易くなるとともに、危険な逆方向からの乗り込みや静から動への体重移動の失敗による転倒事故の低減に寄与できる。このため、主として視覚障害者は直接的、間接的に広義の安全性を享受できる。
【図面の簡単な説明】
【０００８】
【図１】本発明の実施形態を示す全体側面図である。
【図２】図１のＸ―Ｘ線に沿う断面図である。
【図３】本発明の手摺ベルトの概念的単体斜視図である。
【図４】図２のＹ−Ｙ線に沿う断面図である。
【発明を実施するための形態】
【０００９】  以下、本発明になる主として視覚弱者向けエスカレーター用手摺ベルトの構成について、その実施形態を図１〜図４を用いて説明する。
【実施例】
【００１０】  図において、輸送手段であるエスカレーター１は、上階床２Ａと下階床２Ｂに装架される主フレーム３と、無端状に連結されて往路から復路にかけて反転して移動する踏段群４と、この踏段群４の両側に直立して側壁を形成する欄干５と、この欄干５の周縁の両反転部５Ａと５Ｂ間を移動する手摺ベルト６を備えている。また、手摺ベルト６は駆動歯車７の動力をチェーン８を介して駆動ローラ９等に伝達された動力によって摩擦駆動（原理的には駆動ローラ９と案内ローラ１０で上下方向から挟圧される）され、その往路は欄干５で、その復路は案内ローラ１０等によって支持されている。【００１１】  ここで、本発明の対象となる手摺ベルト６は、一般には表面の平坦部６ａと両縁部６ｂが連なる略Ｃ字形断面に熱成型されて無端状に製造される。そして、この手摺ベルト６の表面には、図２、図３に示すように欄干５の高さＨに相当する反転部５Ａ（反対側の反転部５Ｂも同様）の半円周範囲内に少なくても１単位の点字群が存在するよう１メートル程度の間隔Ｐをもって、手摺ベルト６の表層材が合成ゴム等のゴム系であればゴム系材料、ウレタン樹脂等の樹脂系であれば樹脂系材料であって、手摺ベルト６の表層材の色とは異なる色であって、かつ手摺ベルト６の表面が出張りｔ（図３）だけ突起状となって文字、模様等を点字的に表示する突起形表示部６Ａを熱接合して設けてある。なお、この熱接合とは所定温度に加熱した手摺ベルト６の表層材に対し、突起形表示部６Ａ用の材料を所定温度に加熱した状態で突起形表示部６Ａを形成する点字群を印刷的に浮き出させるものである。また、点字群でなる突起形表示部６Ａとは異なる表現としては、図３に想像線で例示した円形線の枠内に点字群を集合させて、従来の運転方向表示マーク的な突起形表示部６ＡＡを手摺ベルト６の全体幅Ｗ１の平坦部６ａ（幅Ｗ２）の幅いっぱいに表現する方法でもよい。なお、突起形表示部６ＡＡとした場合の、特に間隔Ｐａの設定は、乗り口階床にいる視覚弱者がエスカレーター１を遠望した時に該エスカレーター１の正面に少なくても１単位出てくる方向マーク的模様（集合体）の存在により、エスカレーター１の運転方向と運転速度を容易に視認できることを意図したもので、実機検証したところこれも１ｍ前後が適当である。また、視覚弱者が乗り口に達した時と乗り込んだ時は、欄干５の上面で目の高さに近い位置に方向マークがあることによって視点が定まり、より近い位置で移動感覚も認識できて乗り込み（体重移動）のタイミングが取り易く、速度への追随意識も高まって転倒事故の低減に寄与できる。【００１２】  ここで、点字群でなる突起形表示部６Ａは、手摺ベルト６が新品時点においては図３に示す突起状（出張りｔ）であるが、数ヶ月から年の単位経過した時点では図４の状態になるようにあらかじめ本発明の要素に加えてある。すなわち、手摺ベルト６は、図１で説明したようにその復路において、駆動ローラ９と案内ローラ１０によって上下方向から挟圧している関係で、経時的に図４に示すように突起形表示部６Ａが手摺ベルト６の表層材の中に埋没するように沈み込む形になり、それの周囲には凹部６Ｂができることから、凹部６Ｂのように凹みながらも点字が浮き出す形になって触指によって表示の意味が理解される。この現象は、例えば人間の皮膚に米粒を置いて米粒を押し込むと米粒の周囲に凹み（上記の６Ｂ相当）ができるのと同じである。このことは、突起形表示部６ＡＡの場合も同様である。さらに、突起形表示部６Ａ、６ＡＡが摺り減って消滅する寿命問題が懸念されるが、特許請求の範囲に突起形表示部６Ａ、６ＡＡの材質を手摺ベルト６の表層材がゴム系ならゴム系、樹脂系なら樹脂系という接合性が良くなる同材質とし、さらに熱接合したことで接合強度がより高まることに加え、上記の沈み込み（凹部６Ｂ）により案内ローラ１０等との接触がなくなることから寿命面の心配は軽減される。【００１３】  ここで、突起形表示部６Ａ、６ＡＡは、手摺ベルト６の表面色とは色差、明度差のある黄色、灰色、白色等任意の色が選定される。また、対象とする設備もエスカレーター１だけでなく、類似的機構の動く歩道にも適用できる。さらに、本発明は、発明の名称である視覚弱者、あるいは高齢者の利用に限定されるものではなく、健常者、知的障害者等制限なく利用することができる。
【産業上の利用可能性】
【００１４】  以上説明したように上記実施形態によれば、突起形表示部による安全性と寿命面で好適な、主として視覚弱者向けのエスカレーターを提供することができる。
【符号の説明】
【００１５】１  エスカレーター
４  踏段群
５  欄干
５Ａ、５Ｂ  反転部
６  手摺ベルト
６Ａ  突起形表示部
６ＡＡ  突起形表示部
【図１】
2014065604.tif 000003
【図２】
2014065604.tif 000004
【図３】
2014065604.tif 000005
【図４】
2014065604.tif 000006